(57)【特許請求の範囲】
【請求項１】
直流電源と、
この直流電源の出力を高周波で断続的にスイッチングする、少なくとも１つ以上のスイッチング素子とインダクタンスを含むチョッパー回路と、
このチョッパー回路から放電灯への出力極性を低周波で反転させる少なくとも２つ以上のスイッチング素子で構成されるブリッジ回路とからなる放電灯点灯装置において、
前記低周波で動作するスイッチング素子が前記極性反転直後に一定期間、放電灯への出力極性を極性反転後の出力極性と同一の極性に維持したままで、チョッパー回路の出力電流のピーク値が低減されるように前記低周波よりも高い周波数で動作することを特徴とする放電灯点灯装置。
【請求項２】
請求項１において、極性反転直後にチョッパー回路のスイッチング素子のオン時間を狭くすることを特徴とする放電灯点灯装置。
【請求項３】
請求項１において、極性反転直後にチョッパー回路のスイッチング素子の周波数を高くすることを特徴とする放電灯点灯装置。
【請求項４】
請求項１〜３のいずれかにおいて、チョッパー回路のスイッチング素子が１つであり、低周波で動作するブリッジ回路のスイッチング素子が４つで構成されていることを特徴とする放電灯点灯装置。
【請求項５】
請求項１〜３のいずれかにおいて、チョッパー回路のスイッチング素子が２つであり、低周波で動作するスイッチング素子が２つであり、これら４つのスイッチング素子がフルブリッジ回路を構成していることを特徴とする放電灯点灯装置。
【請求項６】
請求項１〜３のいずれかにおいて、ブリッジ回路がハーフブリッジ回路であることを特徴とする放電灯点灯装置。
【発明の詳細な説明】
【０００１】
【発明の属する技術分野】
本発明は、高圧放電灯に交流ランプ電流を供給して高圧放電灯を点灯させる高圧放電灯点灯装置において、極性反転時に発生するランプ電流のオーバーシュートを低減する技術に関するものである。
【０００２】
【従来の技術】
図９は放電灯点灯装置の従来例（特公平６−１０１３８８、特公平６−１０１３８９）を示す。スイッチング素子Ｑ１〜Ｑ４をブリッジ形に接続したスイッチング回路が電流検出用抵抗Ｒを介して直流電源Ｅに接続されている。各スイッチング素子Ｑ１〜Ｑ４には夫々スイッチング素子Ｑ１〜Ｑ４の通電方向と逆方向にダイオードＤ１〜Ｄ４を並列接続してある。スイッチング素子Ｑ１，Ｑ４の接続点とスイッチング素子Ｑ２，Ｑ３の接続点の間にはチョークコイルＬ１とコンデンサＣ１の直列回路が接続されており、コンデンサＣ１と並列に放電灯Ｌａとインダクタンス素子Ｌ２の直列回路を接続してある。制御回路７は検出電圧Ｖｌａ、検出電流Ｉｌａに応じてスイッチング素子Ｑ１〜Ｑ４を制御するための回路である。
【０００３】
図１０（ａ）〜（ｄ）は夫々スイッチング素子Ｑ１〜Ｑ４の動作を示すタイミング図である。スイッチング素子Ｑ３，Ｑ４は制御回路７により数十Ｈｚから５００Ｈｚの範囲で放電灯Ｌａに適した周波数でオンオフし、スイッチング素子Ｑ３がオンの時にはスイッチング素子Ｑ１が例えば３０ＫＨｚ（１／Ｔ2 ）のデューティ比可変のオンオフ動作を行ない、スイッチング素子Ｑ４がオンの時にはスイッチング素子Ｑ２がスイッチング素子Ｑ１と同様のオンオフ動作を行なう。また、放電灯Ｌａの極性反転時には４つのスイッチング素子Ｑ１〜Ｑ４は同時にオフとなり、休止区間ＴD を有する。制御回路７は電流検出用抵抗Ｒの電圧の大小によってオンオフデューティ比を変えるのである。従って、放電灯Ｌａには高周波リップルを含有した矩形波の交流電流が流れることになる。
【０００４】
さて、図１０（ａ）〜（ｄ）によりさらに図９の回路動作を説明すると、図１０中のｔ１〜ｔ２間では同図（ｃ）に示すように低周波動作するスイッチング素子Ｑ３はオン動作状態であり、スイッチング素子Ｑ１は同図（ａ）に示す高周波でオンオフ動作する状態にある。そしてこの間では同図（ｂ）、（ｄ）に示すようにスイッチング素子Ｑ２，Ｑ４はオフ状態にある。スイッチング素子Ｑ１がオンすると、直流電源Ｅ、スイッチング素子Ｑ１、放電灯Ｌａとインダクタンス素子Ｌ２の直列回路およびその並列コンデンサＣ１、チョークコイルＬ１、スイッチング素子Ｑ３、電流検出用抵抗Ｒ、直流電源Ｅの閉回路に電流が流れ、チョークコイルＬ１に流れる電流ＩL1は一定の傾きをもって直線的に上昇し、スイッチング素子Ｑ１がオフするとこの時の電流ＩL1とチョークコイルＬ１のインダクタンスの値で決まる蓄積されたエネルギーが電流を流れ続けさせようとする方向、つまりスイッチング素子Ｑ１がオンしている時の電流の向きと同様となり、この時はチョークコイルＬ１、スイッチング素子Ｑ３、ダイオードＤ４、放電灯Ｌａとインダクタンス素子Ｌ２の直列回路およびその並列コンデンサＣ１、チョークコイルＬ１の閉回路で蓄積エネルギーが放出され、この動作がｔ２の時点まで繰り返される。
【０００５】
次のｔ２〜ｔ３の期間ＴD では、４つのスイッチング素子Ｑ１〜Ｑ４が共にオフ状態であって、この期間は直流電源Ｅからの電力供給は行なわれない。更にｔ３〜ｔ４間では上記ｔ１〜ｔ２間と基本的に同じであるが、この間、動作するのはスイッチング素子Ｑ２，Ｑ４であって、スイッチング素子Ｑ１，Ｑ３はオフ状態にある。つまり、スイッチング素子Ｑ２がオンすると、直流電源Ｅ、スイッチング素子Ｑ２、チョークコイルＬ１、放電灯Ｌａとインダクタンス素子Ｌ２の直列回路およびその並列コンデンサＣ１、スイッチング素子Ｑ４、電流検出用抵抗Ｒ、直流電源Ｅの閉回路に電流が流れ、またスイッチング素子Ｑ２がオフすると、チョークコイルＬ１、放電灯Ｌａとインダクタンス素子Ｌ２の直列回路およびその並列コンデンサＣ１、スイッチング素子Ｑ４、ダイオードＤ３、チョークコイルＬ１の閉回路で蓄積エネルギーが放出され、この動作がｔ４の時点まで繰り返される。
【０００６】
なお、図９に示したチョークコイルＬ１に流れる電流ＩL1と放電灯Ｌａに流れる電流ＩLaの向きはｔ１〜ｔ２間のものであり、ｔ３〜ｔ４間では電流ＩL1，ＩLaの向きは逆になる。このようにして放電灯Ｌａには高周波リップルを含有した矩形波状の交流の電流が流れることになる。この高周波リップルは放電灯点灯時において音響的共鳴現象に起因するアークの不安定を招くことが知られている。そこでこの高周波リップルを小さくする為に、一般的には放電灯Ｌａに並列に接続されているコンデンサＣ１の容量を調整して、音響的共鳴現象を回避させている。
【０００７】
ダイオードＤ１，Ｄ２は通常の動作では電流は流れないが、過渡時のサージ電流を流す為のものである。上記期間ＴD はスイッチング素子Ｑ１，Ｑ２，Ｑ３，Ｑ４がすべてオフしている期間（ｔ２〜ｔ３，ｔ４〜５）を示しており、これはスイッチング素子Ｑ１，Ｑ４またはＱ２，Ｑ３が同時にオンして短絡状態を呈し、点灯装置の破壊に至るのを防ぐ為のデッドタイムである。この同時オンはスイッチング素子のバラツキや温度上昇によって、ストレージタイムが長くなった時やスイッチング素子間のタイミングのズレによって生じる。
【０００８】
図１０のｔ２に対応する時点ではコンデンサＣ１は図９に示す極性となっており、期間ＴD ではコンデンサＣ１、放電灯Ｌａ、インダクタンス素子Ｌ２の閉回路が構成されて、コンデンサＣ１の電荷の放出が振動電流となり、放電灯Ｌａに流れるＩLaは連続性を保ちながらこの区間に極性を反転し、ｔ３時点ではスイッチング素子Ｑ２がオンして電流ＩLaには休止を生じることなく反転を完了する。
【０００９】
【発明が解決しようとする課題】
上述の従来例における極性反転時（ｔ２〜ｔ３の期間ＴD ）の詳細な動作波形を図１１に示す。同図（ａ）はスイッチング素子Ｑ１の動作、同図（ｂ）はスイッチング素子Ｑ２の動作を示す。また、同図（ｃ）は入力電流Ｉ１を示し、スイッチング素子Ｑ１，Ｑ２に流れる電流に対応する。同図（ｄ）はチョークコイルＬ１に流れる電流ＩL1を示し、同図（ｅ）は放電灯Ｌａに流れる電流ＩLaを示す。ｔ２〜ｔ３の期間ＴD では、ほぼコンデンサＣ１、放電灯Ｌａ、インダクタンス素子Ｌ２の閉回路の動作となり、コンデンサＣ１の電荷がインダクタンス素子Ｌ２を介して放電灯Ｌａに放出され、この時、振動電流がこれらの回路定数に応じた周期で流れる。ｔ３の時点ではコンデンサＣ１の電圧の極性は図９のようになり、この条件でスイッチング素子Ｑ２がオンすると、直流電源ＥとコンデンサＣ１の両端電圧が加極的になって、図１１（ｃ）に示した電流Ｉ１の如くｔ３時点付近では急峻な電流となり、それに伴い図１１（ｄ）のようにチョークコイルＬ１に流れる電流ＩL1及び図１１（ｅ）のように放電灯Ｌａに流れる電流ＩLaもオーバーシュートになる。このとき、上述のように音響的共鳴現象を回避させる為のコンデンサＣ１の容量が大きいと、このｔ３直後において放電灯Ｌａへ流れる電流ＩLaが更に過大となり、オーバーシュートになる問題が顕著に発生する。
【００１０】
このように、低周波の交流点灯動作をする放電灯点灯装置において、極性反転直後におけるランプ電流の急峻な立上がりでランプ電流のオーバーシュートが大きくなると、極性反転する毎に各ランプ電極へ流れる電流が瞬時的に大きくなる為、ランプの寿命に悪影響を及ぼすこととなる。
【００１１】
本発明は上述のような点に鑑みてなされたものであり、放電灯を矩形波点灯する放電灯点灯装置において、放電灯の極性反転毎に発生するランプ電流のオーバーシュートを低減させることによって、放電灯の電極劣化を抑制し、放電灯の寿命を長くすることを課題とする。
【００１２】
【課題を解決するための手段】
請求項１の発明によれば、上記の課題を解決するために、図１に示すように、直流電源Ｅと、この直流電源Ｅの出力を高周波で断続的にスイッチングする、少なくとも１つ以上のスイッチング素子ＳとインダクタンスＬを含むチョッパー回路１と、このチョッパー回路１から放電灯Ｌａへの出力極性を低周波で反転させる少なくとも２つ以上のスイッチング素子Ｓ１〜Ｓ４で構成されるブリッジ回路とからなる放電灯点灯装置において、図２（ｂ），（ｃ）に示すように、前記低周波で動作するスイッチング素子Ｓ１〜Ｓ４が前記極性反転直後に一定期間、放電灯Ｌａへの出力極性を極性反転後の出力極性と同一の極性に維持したままで、チョッパー回路１の出力電流のピーク値が低減されるように前記低周波よりも高い周波数で動作することを特徴とするものである。
【００１３】
このように、ブリッジ回路の低周波で動作するスイッチング素子Ｓ１〜Ｓ４を極性反転の直後に高周波動作をさせることで、極性反転時におけるランプ電流のオーバーシュートを低減するものである。ここで、ブリッジ回路のスイッチング素子Ｓ１〜Ｓ４とチョッパー回路のスイッチング素子Ｓとの同期、非同期は問わない。また、ブリッジ回路のスイッチング素子Ｓ１〜Ｓ４の全部または一部をチョッパー回路のスイッチング素子Ｓとして共用させるか、別に設けるかも問わない。
【００１４】
請求項２の発明によれば、請求項１において、極性反転直後にチョッパー回路のスイッチング素子Ｓのオン時間を狭くすることを特徴とするものである。
請求項３の発明によれば、請求項１において、極性反転直後にチョッパー回路のスイッチング素子Ｓの周波数を高くすることを特徴とするものである。
【００１５】
請求項４の発明によれば、請求項１〜３のいずれかにおいて、図１に示すように、チョッパー回路のスイッチング素子Ｓが１つであり、低周波で動作するブリッジ回路のスイッチング素子Ｓ１〜Ｓ４が４つで構成されていることを特徴とするものである。
請求項５の発明によれば、請求項１〜３のいずれかにおいて、図５に示すように、チョッパー回路のスイッチング素子Ｑ６，Ｑ７が２つであり、低周波で動作するスイッチング素子Ｑ５，Ｑ８が２つであり、これら４つのスイッチング素子Ｑ６，Ｑ７およびＱ５，Ｑ８がフルブリッジ回路を構成していることを特徴とするものである。
【００１６】
請求項６の発明によれば、請求項１〜３のいずれかにおいて、ブリッジ回路がハーフブリッジ回路であることを特徴とするものである。ここで、ハーフブリッジ回路とは、２つのスイッチング素子の直列回路と２つのコンデンサの直列回路を並列接続し、２つのスイッチング素子の接続点と２つのコンデンサの接続点の間に負荷を接続した回路であり、２つのスイッチング素子を高周波で動作させてチョッパー回路のスイッチング素子と共用化する場合と、２つのスイッチング素子を低周波で動作させて直流電源とブリッジ回路との間に高周波で動作するチョッパー回路のスイッチング素子を別に設ける場合とを含むものである。
【００１７】
【発明の実施の形態】
（実施形態１）
図１は本発明の実施形態１の回路図、図２はその動作波形図である。本実施形態は、直流電源Ｅから供給される電圧を降圧チョッパー回路よりなるダウンコンバータ１により降圧させ、コンデンサＣに電圧が蓄えられる。そして高圧発生回路ＩＧにより放電灯Ｌａに高圧パルスが印加され、電極間で絶縁破壊を起こし、放電が開始される。この後、コンデンサＣに蓄えられていた電流が放電灯Ｌａへ一気に流れ込む。その後、電圧検出回路２、電流検出回路３により放電灯Ｌａの電圧、電流を検出し、電力演算回路４により放電灯Ｌａへ供給する電力を演算、ＰＷＭ制御回路５を介してダウンコンバータ１にフィードバックし、ダウンコンバータ１のパルス幅を制御し、放電灯Ｌａへ電力を供給する。コンデンサＣはダウンコンバータ１による高周波リップル電流を低減するための平滑コンデンサである。また、制御回路６はスイッチング素子Ｓ１〜Ｓ４よりなるブリッジ回路で構成された極性反転部を制御すると共に、チョークコイルＬに流れるピーク電流を検知し、周波数も制御している。
【００１８】
以下、図１の回路の動作について説明する。直流電源Ｅから供給される電圧をダウンコンバータ１により降圧させ、制御回路６からの信号にて４つのスイッチング素子Ｓ１〜Ｓ４を制御して放電灯Ｌａを点灯している。図２（ａ）はスイッチング素子Ｓの動作波形を、図２（ｂ）は定常点灯時のスイッチング素子Ｓ１，Ｓ３の動作を、同図（ｃ）は定常点灯時のスイッチング素子Ｓ２，Ｓ４の動作を、同図（ｄ）はチョークコイルＬに流れる電流波形を、同図（ｅ）は放電灯Ｌａに流れる電流波形を示す。図１の電流計▲１▼はチョークコイルＬに流れる電流ＩL を、また、電流計▲２▼は放電灯Ｌａに流れる電流ＩLaをそれぞれ検出している。スイッチング素子Ｓがオン状態になるとチョークコイルＬに流れる電流は右上がりに上昇し、制御回路６で規定させたピーク電流値に達すると、スイッチング素子Ｓはオフされて、チョークコイルＬの電流は右下がりに減少する。そしてチョークコイルＬの電流値がゼロになると制御回路６が検知し、再度スイッチング素子Ｓをオンさせて、これが繰り返し行われる。コンデンサＣは平滑用として作用する。各スイッチング素子Ｓ１〜Ｓ４は、各半周期毎にスイッチング素子Ｓ１，Ｓ３とスイッチング素子Ｓ２，Ｓ４のペアで低周波で動作する一般的なフルブリッジ回路である。
【００１９】
本実施形態では、極性反転時においてスイッチング素子Ｓ１，Ｓ３（もしくはスイッチング素子Ｓ２，Ｓ４）がオンする時において、スイッチング素子Ｓ１，Ｓ３のいずれかもしくは両方を高周波で動作させることにより、極性反転時における放電灯Ｌａに流れる電流のオーバーシュートを低減させて、放電灯Ｌａの電極劣化を抑制し、放電灯の寿命を向上させるものである。
【００２０】
なお、図１の回路では、ブリッジ回路が４つのスイッチング素子Ｓ１〜Ｓ４よりなるフルブリッジ回路で構成されているが、例えば、スイッチング素子Ｓ１，Ｓ４をそれぞれコンデンサに置き換えるか、あるいは、スイッチング素子Ｓ２，Ｓ３をそれぞれコンデンサに置き換えて、２つのスイッチング素子の直列回路と２つのコンデンサの直列回路を並列接続してなるハーフブリッジ回路としても良い。
【００２１】
（実施形態２）
図３は本発明の実施形態２の動作波形図である。図３（ａ）〜（ｅ）は図２（ａ）〜（ｅ）と同じ部分の波形を示す。回路図は実施形態１と同様であり、詳細な説明は省く。図３に示すように、各極性反転時におけるスイッチング素子Ｓのオン時間を狭くすることにより、極性反転時における放電灯Ｌａに流れる電流のオーバーシュートを低減させて、放電灯Ｌａの電極劣化を抑制し、放電灯の寿命を向上させることができる。なお、極性反転直後にチョッパー回路のスイッチング素子のオン時間を狭くすることに代えて、極性反転直後にチョッパー回路のスイッチング素子の周波数を高くするようにしても良い。
【００２２】
（実施形態３）
図４は本発明の実施形態３の動作波形図である。図４（ａ）〜（ｅ）は図２（ａ）〜（ｅ）と同じ部分の波形を示す。回路図は実施形態１と同様であり、詳細な説明は省く。図４に示すように、各極性反転時におけるスイッチング素子Ｓのオン時間を狭くすると共に、スイッチング素子Ｓ１，Ｓ３（もしくはスイッチング素子Ｓ２，Ｓ４）がオンする時においてスイッチング素子Ｓ１，Ｓ３のいずれかもしくは両方を高周波で動作させることにより、極性反転時における放電灯Ｌａに流れる電流のオーバーシュートをさらに低減させて、放電灯Ｌａの電極劣化を抑制し、放電灯の寿命を向上させることができる。なお、極性反転直後にチョッパー回路およびブリッジ回路のスイッチング素子のオン時間を狭くすることに代えて、極性反転直後にチョッパー回路およびブリッジ回路のスイッチング素子の周波数を高くするようにしても良い。
【００２３】
（実施形態４）
図５は本発明の実施形態４の回路図、図６はその動作波形図である。本実施形態は、直流電源Ｅに対してスイッチング素子Ｑ５〜Ｑ８をブリッジ形に接続したスイッチング回路を接続し、スイッチング素子Ｑ５〜Ｑ８には夫々スイッチング素子Ｑ５〜Ｑ８の通電方向と逆方向にダイオードＤ５〜Ｄ８を並列接続し、スイッチング素子Ｑ５，Ｑ８の接続点とスイッチング素子Ｑ６，Ｑ７の接続点の間にはチョークコイルＬ３とコンデンサＣ４の直列回路が接続されており、コンデンサＣ４と並列に放電灯Ｌａとインダクタンス素子Ｌ４の直列回路を接続してある。なお、本回路図内にあるコンデンサＣ５，Ｃ６については省略してもよい。また、スイッチング素子Ｑ５〜Ｑ８の制御回路及び電流検出用抵抗は図示を省略してある。
【００２４】
図５、図６について以下に簡単に説明するが、今回はコンデンサＣ５，Ｃ６が無い場合について説明する。また、前述の従来例（図９）と回路構成は同じであり、スイッチング素子Ｑ５〜Ｑ８及びダイオードＤ５〜Ｄ８は図９の回路のスイッチング素子Ｑ１〜Ｑ４及びダイオードＤ１〜Ｄ４と基本的動作は同じなものであるが、図９の回路では、高周波によりスイッチングするスイッチング素子Ｑ１，Ｑ２が電源の＋側に、低周波によりスイッチングするスイッチング素子Ｑ３，Ｑ４が電源の−側にあるのに対して、図５の回路では高周波によりスイッチングするスイッチング素子Ｑ７，Ｑ６がチョークコイルＬ３側に直列に、低周波によりスイッチングするスイッチング素子Ｑ５，Ｑ８が放電灯Ｌａ側に直列に設けてある点が相違している。図６（ａ）はスイッチング素子Ｑ７の動作を、同図（ｂ）はスイッチング素子Ｑ６の動作を、同図（ｃ）はスイッチング素子Ｑ８の動作を、同図（ｄ）はスイッチング素子Ｑ５の動作を、同図（ｅ）はチョークコイルＬ３に流れる電流波形を、同図（ｆ）は放電灯Ｌａに流れる電流波形を示す。
【００２５】
図５の回路では、スイッチング素子Ｑ７がオンすると、直流電源Ｅ、スイッチング素子Ｑ５、放電灯Ｌａとインダクタンス素子Ｌ４の直列回路およびその並列コンデンサＣ４、チョークコイルＬ３、スイッチング素子Ｑ７、直流電源Ｅの閉回路に電流が流れ、スイッチング素子Ｑ７がオフすると、チョークコイルＬ３、ダイオードＤ６、スイッチング素子Ｑ５、放電灯Ｌａとインダクタンス素子Ｌ４の直列回路およびその並列コンデンサＣ４、チョークコイルＬ３の閉回路に電流が流れる。また、スイッチング素子Ｑ６がオンすると、直流電源Ｅ、スイッチング素子Ｑ６、チョークコイルＬ３、放電灯Ｌａとインダクタンス素子Ｌ４の直列回路およびその並列コンデンサＣ４、スイッチング素子Ｑ８、直流電源Ｅの閉回路に電流が流れ、スイッチング素子Ｑ６がオフすると、チョークコイルＬ３、放電灯Ｌａとインダクタンス素子Ｌ４の直列回路およびその並列コンデンサＣ４、スイッチング素子Ｑ８、ダイオードＤ７、チョークコイルＬ３の閉回路に電流が流れる。ダイオードＤ５，Ｄ８は通常の動作では電流は流れないが過渡時のサージ電流を流す為のものである。
【００２６】
本実施形態においては、極性反転時に、低周波によりスイッチングするスイッチング素子Ｑ５，Ｑ８がオンする時において高周波で動作させることにより、極性反転時における放電灯Ｌａに流れる電流のオーバーシュートを低減させて、放電灯Ｌａの電極劣化を抑制し、放電灯の寿命を向上させることができる。
【００２７】
なお、図５の回路では、ブリッジ回路が４つのスイッチング素子Ｑ５〜Ｑ８よりなるフルブリッジ回路で構成されているが、低周波によりスイッチングする２つのスイッチング素子Ｑ５，Ｑ８（およびその逆並列ダイオードＤ５，Ｄ８）をそれぞれコンデンサに置き換えて、高周波によりスイッチングする２つのスイッチング素子Ｑ６，Ｑ７と２つのコンデンサとでブリッジ回路を構成したハーフブリッジ回路としても良い。
【００２８】
（実施形態５）
図７は実施形態５の各波形を示す。図７（ａ）〜（ｆ）は図６（ａ）〜（ｆ）と同じ部分の波形を示す。回路図は実施形態４と同様であり、詳細な説明は省く。この実施形態では、図７に示すように、各極性反転時において高周波によりスイッチングするスイッチング素子Ｑ６，Ｑ７のオン時間を狭くすることにより、極性反転時における放電灯Ｌａに流れる電流のオーバーシュートを低減させて、放電灯Ｌａの電極劣化を抑制し、放電灯の寿命を向上させることができる。
【００２９】
（実施形態６）
図８は実施形態６の各波形を示す。図８（ａ）〜（ｆ）は図６（ａ）〜（ｆ）と同じ部分の波形を示す。回路図は実施形態４と同様であり、詳細な説明は省く。この実施形態では、図８に示すように、各極性反転時において高周波によりスイッチングするスイッチング素子Ｑ６，Ｑ７のオン時間を狭くすることと、低周波によりスイッチングするスイッチング素子Ｑ５，Ｑ８がオンする時において高周波で動作させることにより、極性反転時における放電灯Ｌａに流れる電流のオーバーシュートをさらに低減させて、放電灯Ｌａの電極劣化を抑制し、放電灯の寿命を向上させることができる。
【００３０】
【発明の効果】
本発明によれば、極性反転を担う低周波で動作するスイッチング素子を極性反転直後に高周波で動作させたり、電力制御を担う高周波で動作するスイッチング素子を極性反転直後にそのオン時間を狭めたりすることにより、極性反転直後に放電灯へ流れる電流を抑制させることによりランプ電流のオーバーシュートを低減させて、放電灯の電極劣化を抑制し、放電灯の寿命を向上させることができる。
【図面の簡単な説明】
【図１】本発明の実施形態１の回路図である。
【図２】本発明の実施形態１の動作説明用の波形図である。
【図３】本発明の実施形態２の動作説明用の波形図である。
【図４】本発明の実施形態３の動作説明用の波形図である。
【図５】本発明の実施形態４の回路図である。
【図６】本発明の実施形態４の動作説明用の波形図である。
【図７】本発明の実施形態５の動作説明用の波形図である。
【図８】本発明の実施形態６の動作説明用の波形図である。
【図９】従来例の回路図である。
【図１０】従来例の動作説明用の波形図である。
【図１１】従来例の極性反転時の詳細な波形図である。
【符号の説明】
Ｌａ        放電灯
Ｅ          直流電源
Ｓ          スイッチング素子（チョッパー回路）
Ｓ１〜Ｓ４  スイッチング素子（ブリッジ回路）
【図１】
0004103397.tif 000002
【図２】
0004103397.tif 000003
【図３】
0004103397.tif 000004
【図４】
0004103397.tif 000005
【図５】
0004103397.tif 000006
【図６】
0004103397.tif 000007
【図７】
0004103397.tif 000008
【図８】
0004103397.tif 000009
【図９】
0004103397.tif 000010
【図１０】
0004103397.tif 000011
【図１１】
0004103397.tif 000012